(57)【要約】      （修正有）【課題】箸を使って手を汚さず使用できる調味料小出し容器。【解決手段】中空半筒状体（キャップ）１の上部に２箇所の円筒状体３を設置し、開口部４である中空円筒状体３の付け根のそれぞれの接着円周部分を薄い皮１枚で密封状態にしておくと共に、Ｔ型アーム２及び５を設け、調味料小出し容器を箸で中空円筒状体３の突起部分を両外側からやや力を入れて挟み込めば皮１枚で密封されている開口部４の付け根が破れ、調味料が出てくる。【選択図】図１
2009291574.tif 000002
【特許請求の範囲】
【請求項１】
中空半筒状体（キャップ）１の上部に２箇所の円筒状体３を設置し、それぞれの接着円周部分４を薄い皮１枚で密封状態にしておき、円筒状体３を外部からの衝撃から保護すると同時に箸を支えたりするためＴ型のアーム２及び５を設けたことを特徴とする調味料小出し容器。
【発明の詳細な説明】
【技術分野】
【０００１】  本発明は、食物の油汁等で手を汚すことなく箸を利用して、たれ、醤油、ソース等を小出し容器から取り出し使用を可能にする調味料小出し容器に関する。
【背景技術】
【０００２】従来、弁当等を食す際、副食等に調味料を使用する時は、食物の油、汁、たれ等で汚れている調味料小出し容器を直接手で触れ開封していたので手が汚れ不快な思いをしていた事が多い。
【発明が解決しようとする課題】
【０００３】  本発明は、調味料を使用する際に、手の汚れを防止できるようにした調味料小出し容器を提供するものである。
又本発明において、開口部である中空円筒状体図１の３の付け根４の直径のサイズは使用の際、調味料の出量に応じて決められる。
【発明を解決するための手段】
【０００４】本発明の調味料小出し容器は、上記課題を達成するため、図示するように、中空半筒状体（キャップ）図１の１の上部を密封状態及び箸図２の６の簡単な操作により開口できるようにすると共に、開口部４と中空半筒状体図１の１との付け根をそれぞれ皮１枚程度の薄い膜加工を設けたものである。
【発明の実施の形態１】
【０００５】本発明の実施の形態が図３乃至図４に示されている。
本発明の調味料小出し容器は合成樹脂製の中空円筒状体図１の３と接続部分４を密封及び開口できるように加工したものである。
従って、今、調味料小出し容器を箸図２の６で中空円筒状体３の突起部分を両外側からやや力を入れて挟み込めば皮１枚で密封されている開口部４の付け根が破れ調味料が出てくる。
【発明の実施の形態２】
【０００６】本発明の実施の形態が図３乃至４に示されている。
本例の調味料小出し容器は合成樹脂製の中空半円筒状体図１の１及び頭頂部に設けられたそれぞれの部品２，３，４，５、からなっている。従って箸で容器ごと挟んで持ち上げたり図２の６傾けたり図６できる支えのアーム図１の２及び開口状態を保つための支えとしての柱５が設けられている。
又アーム２は脆い中空円筒状体３の付け根４を箸以外の外部からの衝撃から保護する役割も兼ねている。
【発明の実施の形態３】
【０００７】本発明の実施の形態が図３及び図４に示されている。
本発明の調味料小出し容器は、合成樹脂製の中空半筒状体図４及び図３からなっている。
調味料たれ、醤油、ソース等を収納用容器図３の８に入れ本体のネジ目部分７と中空半筒状体（キャップ）図４とのネジ目部分９をそれぞれ合体させ図５の完成状態で箸を使って図２の要領で外側より円筒状体突起３それぞれを内側に倒し、同時に開口部４それぞれを破り開口し、容器の中の調味料を取り出して副食等にふりかけて図６の１１使用することができる。又円筒状体突起３は図７Ａ３形態にしても良く開口部Ａ４は皮１枚の薄い幕で密封されている。
【図１】
2009291574.tif 000003
【図２】
2009291574.tif 000004
【図３】
2009291574.tif 000005
【図４】
2009291574.tif 000006
【図５】
2009291574.tif 000007
【図６】
2009291574.tif 000008
【図７】
2009291574.tif 000009
【手続補正書】
【提出日】平成20年8月11日(2008.8.11)
【手続補正１】
【補正対象書類名】明細書
【補正対象項目名】全文
【補正方法】変更
【補正の内容】
【発明の詳細な説明】
【技術分野】
【０００１】  本発明は、食物の油汁等で手を汚すことなく箸を利用して、たれ、醤油、ソース等を小出し容器から取り出して使用を可能にする調味料小出し容器に関する。
【背景技術】
【０００２】従来、弁当を食す際、副食等に調味料を使用する時は、食物の油、汁、たれ等で汚れている調味料小出し容器を直接手で触れ開封していたので手が汚れ不快な思いをしていた事が多い。
【発明が解決しようとする課題】
【０００３】  本発明は、調味料を使用する際に、手の汚れを防止できるようにした調味料小出し容器を提供するものである。
又本発明において、開口部である中空円筒状体図１の３の付け根４の直径のサイズは使用の際、調味料の出量に応じて決められる。
【発明を解決するための手段】
【０００４】  本発明の調味料小出し容器は、上記課題を達成するため、図示するように、中空半筒状（キャップ）図１の１の上部を密封状態及び箸図２の６の簡単な操作により開封できるようにすると共に、開口部４と中空半筒状体図１の１との付根をそれぞれ皮１枚程度の薄い幕加工を設けたものである。
【発明の実施の形態１】
【０００５】本発明の実施の形態が図３乃至図４に示されている。
本発明の調味料小出し容器は合成樹脂製の中空円筒状体図１の３と接続部分４を密封及び開口できるように加工したものである。
従って、今、調味料小出し容器を箸図２の６で中空円筒状体３の突起部分を両外側からやや力を入れて挟み込めば皮１枚で密封されている開口部４の付け根が破れ調味料が出てくる。
【発明の実施の形態２】
【０００６】本発明の実施の形態が図３乃４に示されている。
本発明の調味料小出し容器は合成樹脂製の中空半筒状体図１の１及び頭頂部に設けられたそれぞれの部品２，３，４，５、からなっている。従って箸で容器ごと挟んで持ち上げたり図２の６傾けたり図６できる支えのアーム図１の２及び開口状態を保つための支えとしての柱５が設けられている。又アーム２は脆い中空円筒状体３の付け根４を箸以外の外部からの衝撃から保護する役割も兼ねている。
【発明の実施の形態３】
【０００７】本発明の実施の形態が図３及び図４に示されている。
本発明の調味料小出し容器は、合成樹脂製の中空半筒状体図４及び図３からなっている。
調味料、たれ、醤油、ソース等を収納用容器図３の８に入れ本体のネジ目部分７と中空半筒状体（キャップ）図４とのネジ目部分９をそれぞれ合体させ図５の完成状態で箸を使って図２の要領で外側より円筒状体突起３それぞれを内側に倒し、同時に開口部４それぞれを破り開口し、容器の中の調味料を取り出して副食等にふりかけて図６の１１使用することができる。又円筒状体突起３は図７Ａ３形態に変更しても良く開口部Ａ４は皮１枚の薄い幕で密封されている。
【図面の簡単な説明】
【０００８】
【図１】本発明の中空半筒状体（キャップ）の斜視図である。
【図２】本発明の実施例に係る使用状態を示す図である。
【図３】本発明の使用に係る調味料を収納する容器である。
【図４】本発明の中空半筒状体（キャップ）を下側より見た図である。
【図５】本発明の全体の形状を示す斜視図である。
【図６】収納している調味料を容器から副食に使用している様子の図である。
【図７】図１の形状が別の形状でも可能であることを示す図である。
【符号の説明】
【０００９】  １：中空半筒状体（キャップ）の斜視図である
２：支え板（アーム）吊り上げ固定板
３：中空円筒状体
４：開口密封接着部
５：支え板（アーム）挟み込み固定板
６：箸
７：連結固定用ネジ目
８：調味料収納容器
９：中空半筒状体（キャップ）のネジ目
１０：全体図
１１：使用状態を表す図
Ａ３：円筒状体を板状に変更した図
Ａ４：開口密封接続部